(57)【要約】      （修正有）【課題】ソーラーパネルを備えた制御ボックススタンドを駐車場入口に備え、リモコン１つで簡単に駐車でき、かつ不正駐車を防止できる駐車場ゲートを提供する。【解決手段】本駐車場ゲートは、内部に制御装置及び蓄電池を収納した直方体の制御ボックススタンド１と、該制御ボックススタンド１の上面に水平回動可能な垂直軸を立設し、該垂直軸の先端に仰伏傾動可能とした表面を強化ガラスで保護されたソーラーパネル２と、制御ボックススタンド１の正面に設けた回動軸３の直交方向に垂直姿勢から水平姿勢へ往復回動する遮断竿４を設けたものである。ソーラーパネル２は、設置した個所に応じて、垂直軸を中心にしてソーラーパネルを南向きとなるように水平回転し、さらに降雪地域又は非降雪地域により水平面に対して設置角度を３０°〜６０°の範囲で調節する。【選択図】図１
0003159245.tif 000002
【実用新案登録請求の範囲】
【請求項１】
内部に制御装置及び蓄電池を収納した直方体の制御ボックススタンドと、該制御ボックススタンドの上面に水平回動可能な垂直軸を立設し、該垂直軸の先端に仰伏傾動可能とした表面を強化ガラスで保護されたソーラーパネルと、前記制御ボックススタンドの正面に設けた回動軸の直交方向に垂直姿勢から水平姿勢へ往復回動する遮断竿を設けたことを特徴とする駐車場ゲート。
【請求項２】
内部に制御装置及び蓄電池を収納した直方体の制御ボックススタンドと、該制御ボックススタンドの上面に断面三角形の屋根を形成し、該屋根の傾斜面に埋め込み式とし、表面を強化ガラスで保護されたソーラーパネルと、前記制御ボックススタンドの正面に設けた回動軸の直交方向に垂直姿勢から水平姿勢へ往復回動する遮断竿を設けたことを特徴とする駐車場ゲート。
【考案の詳細な説明】
【技術分野】
【０００１】
本考案は、不正駐車を防止し、且つリモコン１つで簡単に駐車できる駐車場ゲートに関する。
【背景技術】
【０００２】
本出願人が開発した、身体障害者の携帯する発信器と駐車スペース開閉手段とに簡易な関連手段を介在させて、身体障害者の簡易操作処理で駐車スペースを利用できる身体障害者用駐車スペース管理システムが知られている（特許文献１を参照）。
この公知技術は、身体障害者の携帯する発信器の発信手段を登録済み身体障害者識別信号（暗号化信号）とし、ゲート開閉手段が登録済み身体障害者識別信号のみを受信する受信ユニットと、該受信ユニットの受信信号により作動するゲート開閉機構とから成る身体障害者用駐車スペース管理システムである。
【０００３】
また、商用電力（電源）を使用しない、軽量で簡単な構造であり、遠隔操作が可能な自動車侵入規制装置が知られている（特許文献２を参照）。
この公知技術は、特定の領域に侵入することを規制する地中埋設可能な進入規制体と、該進入規制体の昇降動を制御する制御装置と、該制御装置に接続された蓄電池と、該蓄電池に接続された太陽電池を具備する自動車侵入規制装置である。
【先行技術文献】
【特許文献】
【０００４】
【特許文献１】実用新案登録第３１４６６０９号公報
【特許文献２】特開２００２−４７６２１号公報
【考案の概要】
【考案が解決しようとする課題】
【０００５】
本考案は、ソーラーパネルを備えた制御ボックススタンドを駐車場入口に備え、リモコン１つで簡単に駐車でき、かつ不正駐車を防止できる駐車場ゲートを提供することを目的とする。
【課題を解決するための手段】
【０００６】
本考案の駐車場ゲートは、内部に制御装置及び蓄電池を収納した直方体の制御ボックススタンドと、該制御ボックススタンドの上面に水平回動可能な垂直軸を立設し、該垂直軸の先端に仰伏傾動可能とした表面を強化ガラスで保護されたソーラーパネルと、前記制御ボックススタンドの正面に設けた回動軸の直交方向に垂直姿勢から水平姿勢へ往復回動する遮断竿を設けたものである。
本考案の駐車場ゲートは、内部に制御装置及び蓄電池を収納した直方体の制御ボックススタンドと、該制御ボックススタンドの上面に断面三角形の屋根を形成し、該屋根の傾斜面に埋め込み式とし、表面を強化ガラスで保護されたソーラーパネルと、前記制御ボックススタンドの正面に設けた回動軸の直交方向に垂直姿勢から水平姿勢へ往復回動する遮断竿を設けたものである。
【考案の効果】
【０００７】
本考案の駐車場ゲートは、内部に制御装置及び蓄電池を収納した直方体の制御ボックススタンドと、該制御ボックススタンドの上面に水平回動可能な垂直軸を立設し、該垂直軸の先端に仰伏傾動可能とした表面を強化ガラスで保護されたソーラーパネルと、前記制御ボックススタンドの正面に設けた回動軸の直交方向に垂直姿勢から水平姿勢へ往復回動する遮断竿を設けたため、設置場所に制限されることなく、ソーラーパネルを常に南向きに回転移動することが出来るし、水平面に対して降雪地域では設置角５０〜６０°とし、非降雪地域では設置角３０°〜６０°の範囲で設置することができる。
本考案の駐車場ゲートは、内部に制御装置及び蓄電池を収納した直方体の制御ボックススタンドと、該制御ボックススタンドの上面に断面三角形の屋根を形成し、該屋根の傾斜面に埋め込み式とし、表面を強化ガラスで保護されたソーラーパネルと、前記制御ボックススタンドの正面に設けた回動軸の直交方向に垂直姿勢から水平姿勢へ往復回動する遮断竿を設けたため、電源はソーラーパネルと接続された蓄電池から得られるし、日中の太陽光線によりソーラーパネルにより常に充電される。
【図面の簡単な説明】
【０００８】
【図１】本考案の駐車場ゲートの右斜視図である。
【図２】本考案の駐車場ゲートの左斜視図である。
【図３】本考案の駐車場ゲートの正面図である。
【図４】本考案の駐車場ゲートの左側面図である。
【図５】本考案の駐車場ゲートの平面図である。
【図６】本考案の他の駐車場ゲートの正面図である。
【図７】本考案の他の駐車場ゲートの左側面図である。
【図８】本考案の他の駐車場ゲートの平面図である。
【図９】本考案の他の駐車場ゲートの使用状態を示す正面図である。
【考案を実施するための形態】
【０００９】
本考案の駐車場ゲートの一実施例を添付図面に基づいて、以下に説明する。
図１の右斜視図、図２の左斜視図に示すように、本考案の駐車場ゲートは、内部に制御装置及び蓄電池を収納した直方体の制御ボックススタンド１と、該制御ボックススタンド１の上面に水平回動及び仰伏傾動可能に設置されたソーラーパネル２と、前記制御ボックススタンド１の正面に設けた回動軸３の直交方向に垂直姿勢から水平姿勢へ往復回動する遮断竿４を設けたものである。
【００１０】
図３の正面図、図４の左側面図、図５の平面図に示すように、前記制御ボックススタンド１は、遮断竿４の往復回動を制御する制御装置（図示せず）と、該制御装置及びソーラーパネル２と接続された蓄電池（図示せず）とを内蔵し、運転者が操作するリモコンの登録済み運転者識別信号により前記制御装置が前記遮断竿４の開閉作動を行うものである。
【００１１】
前記ソーラーパネル２は、前記制御ボックススタンド１の上面に水平回動可能な垂直軸５を立設し、該垂直軸５の先端に仰伏傾動可能とし、表面を強化ガラス（図示せず）で保護する。
また、前記ソーラーパネル２は、降雪地域では太陽高度が低くなるため水平面に対して設置角５０〜６０°とし、非降雪地域では水平設置角度１０°刻みで表された１ヶ月ごとの通年にわたる傾斜日射量データを基に、各設置角度における最小日射量月の日射量を比較し、最小日射量が最も大きくなるような設置角３０°〜６０°の範囲で設置する。
【００１２】
前記遮断竿４は、中空棒状のアルミバーから成り、前記制御ボックススタンド１の正面に設けた回動軸３の直交方向に垂直姿勢から水平姿勢へ往復回動するように設け、駐車場の出入口を遮断する。
【００１３】
次に、本考案の駐車場ゲートの操作動作を添付図面に基づいて、以下に説明する。
最初に、本考案の駐車場ゲートを設置した個所に応じて、垂直軸５を中心にしてソーラーパネルを南向きとなるように回転し、さらに降雪地域又は非降雪地域により水平面に対して設置角度を３０°〜６０°の範囲で調節する。制御ボックススタンド１の制御装置（図示せず）の電源は、ソーラーパネル２と接続された蓄電池（図示せず）から得られるし、日中の太陽光線によりソーラーパネル２により常に充電される。
自動車の入庫時には、駐車場入口は遮断竿４が水平状態となって自動車の進入を防いでいる。
運転者が制御ボックススタンド１の前でリモコンを開操作すると、リモコンから発信する登録済み運転者識別信号により前記制御ボックススタンド１の制御装置が前記遮断竿４の開作動を行い、前記遮断竿４が水平姿勢から図１に示す垂直姿勢へ回動する。
この状態で自動車を駐車場に入場させ、運転者がリモコンを閉操作すると、リモコンから発信する登録済み運転者識別信号により前記制御ボックススタンド１の制御装置が前記遮断竿４の閉作動を行い、前記遮断竿４が垂直姿勢から水平姿勢へ回動する。
【００１４】
出庫時には、入庫時と同様に駐車場は遮断竿４が水平状態となって自動車の進行を防いでいる。
運転者がリモコンを開操作すると、リモコンから発信する登録済み運転者識別信号により前記制御ボックススタンド１の制御装置が前記遮断竿４の開作動を行い、前記遮断竿４が水平姿勢から図１に示す垂直姿勢へ回動する。
自動車を駐車場から出場させ、運転者がリモコンを閉操作すると、リモコンから発信する登録済み運転者識別信号により前記制御ボックススタンド１の制御装置が前記遮断竿４の閉作動を行い、前記遮断竿４が垂直姿勢から水平姿勢へ回動する。
なお、運転者がリモコンの閉操作を忘れると、前記制御ボックススタンド１に設けた光センサー等の駐車確認手段により空駐車を検知するので、前記制御ボックススタンド１の制御装置が前記遮断竿４の閉作動を行い、前記遮断竿４が垂直姿勢から水平姿勢へ回動する。
【００１５】
つぎに、本考案の駐車場ゲートの他の実施例を添付図面に基づいて、以下に説明する。
図６の正面図、図７の左側面図、図８の平面図に示すように、本考案の駐車場ゲートは、内部に制御装置及び蓄電池を収納した直方体の制御ボックススタンド１と、該制御ボックススタンド１の上面に固定されたソーラーパネル２と、前記制御ボックススタンド１の正面に設けた回動軸３の直交方向に垂直姿勢から水平姿勢へ往復回動する遮断竿４を設けたものである。
【００１６】
前記制御ボックススタンド１は、遮断竿４の往復回動を制御する制御装置と、該制御装置及びソーラーパネル２と接続された蓄電池とを内蔵し、身体障害者が操作するリモコンの登録済み身体障害者識別信号により前記制御装置が前記遮断竿４の開閉作動を行うものである。
【００１７】
前記ソーラーパネル２は、前記制御ボックススタンド１の上面に断面三角形の屋根を形成し、該屋根の傾斜面に埋め込み式とし、表面を強化ガラスで保護する。
なお、車椅子マーク駐車場の東西南北位置によっては、屋根を太陽光線との関係で両面ソーラーの断面二等辺三角形や片面ソーラーの断面直角三角形のソーラーパネル２としても良い。
また、前記ソーラーパネル２は、降雪地域では冬季間の積雪による日射障害や太陽高度が低くなるのを出来る限り小さく抑えるため太陽電池の設置角５０〜６０°とし、非降雪地域では水平設置角度１０°刻みで表された１ヶ月ごとの通年にわたる傾斜日射量データを基に、各設置角度における最小日射量月の日射量を比較し、最小日射量が最も大きくなるような設置角３０°〜６０°の範囲で設置する。
【００１８】
前記遮断竿４は、中空棒状のアルミバーから成り、前記制御ボックススタンド１の正面に設けた回動軸３の直交方向に垂直姿勢から水平姿勢へ往復回動するように設け、車椅子マーク駐車場の出入口を遮断する。
前記遮断竿４に旗６を取付けて、該旗６に「リモコン式○○○ゲート」のような文字を印字して旗竿とすることもできる。
【００１９】
次に、本考案の駐車場ゲートの他の実施例の操作動作を添付図面に基づいて、以下に説明する。
自動車の入庫時には、車椅子マーク駐車場は図９に示すように遮断竿４が水平状態となって自動車の進入を防いでいる。
身体障害者が制御ボックススタンド１の前でリモコンを開操作すると、リモコンから発信する登録済み身体障害者識別信号により前記制御ボックススタンド１の制御装置が前記遮断竿４の開作動を行い、前記遮断竿４が水平姿勢から垂直姿勢へ回動する。
自動車を車椅子マーク駐車場に入場させ、身体障害者がリモコンを閉操作すると、リモコンから発信する登録済み身体障害者識別信号により前記制御ボックススタンド１の制御装置が前記遮断竿４の閉作動を行い、前記遮断竿４が垂直姿勢から水平姿勢へ回動する。
【００２０】
出庫時には、入庫時と同様に車椅子マーク駐車場は図９に示すように遮断竿４が水平状態となって自動車の進行を防いでいる。
身体障害者がリモコンを開操作すると、リモコンから発信する登録済み身体障害者識別信号により前記制御ボックススタンド１の制御装置が前記遮断竿４の開作動を行い、前記遮断竿４が水平姿勢から垂直姿勢へ回動する。
自動車を車椅子マーク駐車場から出場させ、身体障害者がリモコンを閉操作すると、リモコンから発信する登録済み身体障害者識別信号により前記制御ボックススタンド１の制御装置が前記遮断竿４の閉作動を行い、前記遮断竿４が垂直姿勢から水平姿勢へ回動する。
なお、身体障害者がリモコンの閉操作を忘れると、前記制御ボックススタンド１に設けた光センサー等の駐車確認手段により空駐車を検知するので、前記制御ボックススタンド１の制御装置が前記遮断竿４の閉作動を行い、前記遮断竿４が垂直姿勢から水平姿勢へ回動する。
前記制御ボックススタンド１の制御装置の電源は、ソーラーパネル２と接続された蓄電池から得られるし、日中の太陽光線によりソーラーパネル２により常に充電される。
【符号の説明】
【００２１】
１  制御ボックススタンド
２  ソーラーパネル
３  回動軸
４  遮断竿
５  垂直軸
６  旗
【図１】
0003159245.tif 000003
【図２】
0003159245.tif 000004
【図３】
0003159245.tif 000005
【図４】
0003159245.tif 000006
【図５】
0003159245.tif 000007
【図６】
0003159245.tif 000008
【図７】
0003159245.tif 000009
【図８】
0003159245.tif 000010
【図９】
0003159245.tif 000011